(57)【要約】      （修正有）【課題】肌面に刺激を与える肌電極を備えたヘッド部の全体構造を簡素化して、組立てに要する工数を削減し、製造コストを削減できる美容器具を提供する。【解決手段】肌電極３が、締結具６２で本体ケース１に固定された電極ホルダー２に固定してあり、肌電極は電極ホルダーと、本体ケース１に設けたヘッド支持体２８で挟持固定される。本体ケースに、電極ホルダーおよび、本体ケースとは異なる独立部品で構成したヘッド支持体を組む装着凹部１６が形成され、筒状の電極ホルダーの外開口７の内側に、肌電極を受止める段部２４が形成され、電極ホルダーの内開口８に装着凹部と係合する連結筒壁２１が形成されている。肌電極とヘッド支持体が、電極ホルダーの段部と本体ケースの装着凹部の間に配置され、装着凹部の内面側から連結筒壁２１に締結具を係合して、肌電極３とヘッド支持体が、電極ホルダーの段部と本体ケースの装着凹部で挟持固定された構成とする。【選択図】図１
2019141651.tif 000002
【特許請求の範囲】
【請求項１】
本体ケース（１）に電極ホルダー（２）が固定され、肌面に電流を供給する肌電極（３）が電極ホルダー（２）に固定してある美容器具であって、
電極ホルダー（２）が締結具（６２）で本体ケース（１）に固定されており、
肌電極（３）が電極ホルダー（２）と、本体ケース（１）に設けたヘッド支持体（２８）で挟持固定されており、
ヘッド支持体（２８）が本体ケース（１）とは異なる独立部品で構成されており、
本体ケース（１）に、電極ホルダー（２）およびヘッド支持体（２８）を組むための装着凹部（１６）が形成されており、
筒状に形成された電極ホルダー（２）の外開口（７）の内側に、肌電極（３）を受止める段部（２４）が形成され、電極ホルダー（２）の内開口（８）に装着凹部（１６）と係合する連結筒壁（２１）が形成されており、
肌電極（３）とヘッド支持体（２８）が、電極ホルダー（２）の段部（２４）と本体ケース（１）の装着凹部（１６）の間に配置されており、
装着凹部（１６）の内面側から連結筒壁（２１）に締結具（６２）を係合して、肌電極（３）とヘッド支持体（２８）が、電極ホルダー（２）の段部（２４）と本体ケース（１）の装着凹部（１６）で挟持固定されていることを特徴とする美容器具。
【請求項２】
ヘッド支持体（２８）の装着凹部（１６）側の端部に脚片（３６）が形成されており、
装着凹部（１６）に脚片（３６）と係合してヘッド支持体（２８）の回動を規制する回止め体（３９）が設けてあることを特徴とする請求項１に記載の美容器具。
【請求項３】
回止め体（３９）と脚片（３６）が、脚片（３６）の周面に沿って係合しており、
回止め体（３９）と脚片（３６）の係合面（６５）が、部分円弧状の一対の円弧係合面（６６）と、両円弧係合面（６６）の間に設けた矩形係合面（６７）で構成してあることを特徴とする請求項２に記載の美容器具。
【請求項４】
電極ホルダー（２）の連結筒壁（２１）と隣接する脚片（３６）の周面に回止め凹部（６８）が形成されており、
電極ホルダー（２）に係合した締結具（６２）の周面が回止め凹部（６８）と係合して、ヘッド支持体（２８）の回動を規制していることを特徴とする請求項２または３に記載の美容器具。
【請求項５】
本体ケース（１）にリード開口（１７）が形成されており、
ヘッド支持体（２８）の装着凹部（１６）側の端部に弾性係合爪（３７）が設けられており、
ヘッド支持体（２８）を本体ケース（１）の装着凹部（１６）に仮組みした状態において、弾性係合爪（３７）がリード開口（１７）と係合して仮組み状態を保持できることを特徴とする請求項２から４のいずれかひとつに記載の美容器具。
【請求項６】
ヘッド支持体（２８）の装着凹部（１６）側の端部の複数個所に弾性係合爪（３７）が設けられており、
リード開口（１７）に係合した弾性係合爪（３７）の一部が回止め体（３９）の周面で受止められて、ヘッド支持体（２８）の回動を規制していることを特徴とする請求項５に記載の美容器具。
【発明の詳細な説明】
【技術分野】
【０００１】
本発明は、肌面に電流や振動などを作用させて美容効果を向上する美容器具に関する。
【背景技術】
【０００２】
本出願人は、この種の美容器具を先に提案している（特許文献１）。そこでは、本体ケースの前面上部に温熱ヘッド（ヘッド部）を設けている。温熱ヘッドは、本体ケースに固定される筒状のヘッドケースと、ヘッドケースの外開口を塞ぐ伝熱体と、ヘッドケースの内部に配置される発熱構造などで構成してあり、ヘッドケースの内部にはバイブレーターが配置してある。ヘッドケースは、前ケースに凹み形成した円形の装着座に装着されて、ヘッドケースにねじ込んだビスで前ケースに固定してある。伝熱体はキャップ状のプレス成形品からなり、丸筒状の周囲壁がヘッドケースの外筒壁部に外嵌装着されて、伝熱体に装着した保持リングで分離不能に固定してある。また、本体ケースの後面上部には冷熱ヘッドが設けてあり、その内部に配置したペルチェ素子で冷熱ヘッドを冷却できる。
【先行技術文献】
【特許文献】
【０００３】
【特許文献１】特開２０１４−１８４００１号公報（段落番号００５５、図１）
【発明の概要】
【発明が解決しようとする課題】
【０００４】
特許文献１の美容器具によれば、肌面に温熱刺激あるいは冷熱刺激を与えて肌面を活性化でき、必要に応じて温熱ヘッドに電流を作用させ、あるいは温熱刺激と共に振動を作用させて、美容効果を向上できる。しかし、特許文献１の美容器具においては、伝熱体をヘッドケースの外筒壁部に外嵌装着して保持リングで分離不能に固定し、さらに、前ケースの内面側からねじ込んだビスでヘッドケースを前ケースに固定している。そのため、温熱ヘッドの全体構造が複雑で、構成部品点数が多い分だけ組立てに要する工数が増え、美容器具のコストが嵩むのを避けられなかった。
【０００５】
本発明の目的は、肌面に電流を供給する肌電極を備えたヘッド部の全体構造を簡素化して、組立てに要する工数を削減し、その分だけ製造コストを削減できる美容器具を提供することにある。
【課題を解決するための手段】
【０００６】
本体ケース１に電極ホルダー２が固定され、肌面に電流を供給する肌電極３が電極ホルダー２に固定してある美容器具である。電極ホルダー２が締結具６２で本体ケース１に固定されている。肌電極３が電極ホルダー２と、本体ケース１に設けたヘッド支持体２８で挟持固定されている。ヘッド支持体２８が本体ケース１とは異なる独立部品で構成されている。本体ケース１に、電極ホルダー２およびヘッド支持体２８を組むための装着凹部１６が形成されている。筒状に形成された電極ホルダー２の外開口７の内側に、肌電極３を受止める段部２４が形成され、電極ホルダー２の内開口８に装着凹部１６と係合する連結筒壁２１が形成されている。肌電極３とヘッド支持体２８が、電極ホルダー２の段部２４と本体ケース１の装着凹部１６の間に配置されている。装着凹部１６の内面側から連結筒壁２１に締結具６２を係合して、肌電極３とヘッド支持体２８が、電極ホルダー２の段部２４と本体ケース１の装着凹部１６で挟持固定されていることを特徴とする。
【０００７】
ヘッド支持体２８の装着凹部１６側の端部に脚片３６が形成されている。装着凹部１６に脚片３６と係合してヘッド支持体２８の回動を規制する回止め体３９が設けてあることを特徴とする。
【０００８】
回止め体３９と脚片３６が、脚片３６の周面に沿って係合している。回止め体３９と脚片３６の係合面６５が、部分円弧状の一対の円弧係合面６６と、両円弧係合面６６の間に設けた矩形係合面６７で構成してあることを特徴とする。
【０００９】
電極ホルダー２の連結筒壁２１と隣接する脚片３６の周面に回止め凹部６８が形成されている。電極ホルダー２に係合した締結具６２の周面が回止め凹部６８と係合して、ヘッド支持体２８の回動を規制していることを特徴とする。
【００１０】
本体ケース１にリード開口１７が形成されている。ヘッド支持体２８の装着凹部１６側の端部に弾性係合爪３７が設けられている。ヘッド支持体２８を本体ケース１の装着凹部１６に仮組みした状態において、弾性係合爪３７がリード開口１７と係合して仮組み状態を保持できることを特徴とする。
【００１１】
ヘッド支持体２８の装着凹部１６側の端部の複数個所に弾性係合爪３７が設けられている。リード開口１７に係合した弾性係合爪３７の一部が回止め体３９の周面で受止められて、ヘッド支持体２８の回動を規制していることを特徴とする。
【発明の効果】
【００１２】
本発明の美容器具においては、本体ケース１に電極ホルダー２を固定し、電極ホルダー２に設けた肌電極３を、電極ホルダー２と本体ケース１で挟持固定するようにした。こうした美容器具によれば、従来の美容器具に比べて、より簡単な構造で肌電極３を電極ホルダー２に固定できる。
【００１３】
ヘッド支持体２８を本体ケース１とは異なる独立部品で構成すると、美容器具の仕様を種々に変更してシリーズ商品化する場合に、各仕様に応じたヘッド支持体２８を複数種用意しておくだけで、美容器具の機能の追加や変更を簡便に行える。また、肌電極３とヘッド支持体２８を、電極ホルダー２の段部２４と本体ケース１の装着凹部１６の間に配置し、装着凹部１６の内面側から連結筒壁２１に締結具６２を係合した。こうした締結構造によれば、肌電極３とヘッド支持体２８を、電極ホルダー２の段部２４と本体ケース１の装着凹部１６で挟持固定できるので、ヘッド支持体２８を本体ケース１に固定するための締結構造を省略して、肌電極３を備えたヘッド部の全体構造を簡素化できる。
【００１４】
ヘッド支持体２８に脚片３６を設け、装着凹部１６に脚片３６と係合する回止め体３９を設けると、ヘッド支持体２８が回動するのを確実に規制できる。また、回止め体３９は位置決め構造としても機能するので、ヘッド支持体２８の本体ケース１に対する組付けを適正に行える。
【００１５】
回止め体３９と脚片３６の係合面６５を、部分円弧状の一対の円弧係合面６６と、両円弧係合面６６の間に設けた矩形係合面６７で構成すると、ヘッド支持体２８を本体ケース１に対して正しく位置決めでき、しかもヘッド支持体２８が回動しようとするのをさらに確実に規制できる。
【００１６】
脚片３６の周面に回止め凹部６８を形成し、電極ホルダー２に係合した締結具６２の周面を回止め凹部６８に係合させると、締結具６２で脚片３６を受止めることになるので、ヘッド支持体２８の回動を規制して、ヘッド支持体２８を強固に固定できる。
【００１７】
ヘッド支持体２８に弾性係合爪３７を設け、ヘッド支持体２８を装着凹部１６に仮組みした状態において、弾性係合爪３７がリード開口１７と係合して、ヘッド支持体２８を仮組み状態に保持し続けることができる。従って、ヘッド支持体２８の次に組まれる電極ホルダー２および肌電極３の組付けを容易化し、さらに組立てに要する工数を削減して、肌電極３を備えた美容器具の製造に要するコストを削減できる。
【００１８】
ヘッド支持体２８の複数個所に弾性係合爪３７を設けると、ヘッド支持体２８を装着凹部１６に仮組みした状態において、複数の弾性係合爪３７をリード開口１７に係合させて、より安定した状態でヘッド支持体２８を仮組み状態に保持できるので、電極ホルダー２および肌電極３の組付けをさらに容易化できる。また、リード開口１７に係合した弾性係合爪３７の一部を回止め体３９の周面で受止めることにより、ヘッド支持体２８が回動しようとするのをさらに確実に規制できる。
【図面の簡単な説明】
【００１９】
【図１】実施例１に係る美容器具の図２におけるＡ−Ａ線断面図である。
【図２】実施例１に係る美容器具の正面図である。
【図３】実施例１に係る美容器具の側面図である。
【図４】図３におけるＢ−Ｂ線断面図である。
【図５】肌電極のシール構造の詳細を示す断面図である。
【図６】美容器具のヘッド部の構造を示す分解断面図である。
【図７】美容器具のヘッド部の構造を示す分解正面図である。
【図８】ヘッド支持体の回止め構造を示す縦断正面図である。
【図９】実施例２に係る美容器具の締結具の構造を示す断面図である。
【図１０】実施例３に係る美容器具の締結具の構造を示す断面図である。
【図１１】実施例４に係る美容器具の締結具の構造を示す断面図である。
【図１２】実施例５に係る美容器具の縦断側面図である。
【図１３】実施例６に係る美容器具の縦断側面図である。
【図１４】実施例１に係る美容器具の外観６面図、および斜視図である。
【図１５】実施例１に係る美容器具の要部の外観６面図、および斜視図である。
【発明を実施するための形態】
【００２０】
（実施例１）  図１ないし図８は、本発明に係る美容器具の実施例１を示す。なお本発明における前後、左右、上下とは、図２および図３に示す交差矢印と、各矢印の近傍の前後、左右、上下の表示に従うものとする。
【００２１】
図２および図３において、美容器具はグリップを兼ねる縦長の本体ケース１を有し、本体ケース１の前面上部のヘッド部に電極ホルダー２を突設し、肌面に電流を供給し、しかも振動刺激を付与する肌刺激ヘッド（肌電極）３を電極ホルダー２に固定している。本体ケース１は、前突湾曲状の前ケース１ａと後ケース１ｂを蓋合わせ上に接合して構成してあり、後ケース１ｂの後面の上部に設けた縦長四角形状のスイッチパネル４に、電源投入用の第１ボタン部５と、電流の極性を切換える第２ボタン部６が設けてある。
【００２２】
本体ケース１の内部には、２個の電池１０と制御基板１１が配置してあり、制御基板１１の上下に、第１ボタン部５および第２ボタン部６でオン・オフされるスイッチ１２・１３と、運転状態を表示するＬＥＤ１４などが実装してある。制御基板１１にはパルス電流を生成する電流調整回路が実装してあり、第２ボタン部６をオン操作することにより、肌刺激ヘッド３に供給されるパルス電流の極性をプラス極性とマイナス極性に切換えることができる。本体ケース１の左右両側には、グリップ電極１５が露出させてある。図６および図７に示すように前ケース１ａの上部の前面には、電極ホルダー２および後述するヘッド支持体２８を装着するための装着凹部１６とリード開口１７が形成してある。装着凹部１６の底壁の３個所にはビス挿通穴１９が形成してある。図１に示すように、前ケース１ａと後ケース１ｂは、後ケース１ｂの側からねじ込んだ３個のビス１８で一体化してある。図３に示すように、グリップ電極１５から導出したグリップ電極リード５８は制御基板１１に接続される。
【００２３】
図４ないし図６に示すように、電極ホルダー２は丸筒状のプラスチック成形品からなり、その外開口７の外周面にキャップ装着部２０が張出し形成され、内開口８の周囲に装着凹部１６と係合する連結筒壁２１が形成してある。連結筒壁２１の端部には、装着凹部１６の開口周縁壁で受止められる座部２２が形成され、連結筒壁２１の後部にはシール溝２３が形成してある。また、電極ホルダー２の外開口７の内側には、後述するＯリング４４および肌刺激ヘッド３を受止める段部２４が形成され、連結筒壁２１の内面の３個所にねじボス２５が形成してある。ねじボス２５のボス端は装着凹部１６の底壁と僅かな隙間を隔てて対向している。連結筒壁２１の後端の右側１個所に位置決め片３８（図４、図７参照）が形成してある。
【００２４】
電極ホルダー２の内部には、ヘッド支持体２８と電装品ホルダー２９が配置してあり、電装品ホルダー２９の内部にバイブレーター３０が組付けてある。ヘッド支持体２８は断面円形の筒壁３１と、筒壁３１の内部を前後に区分する区画壁３２を一体に備えたプラスチック成形品からなる。図６、図７に示すように、区画壁３２には、電装品ホルダー２９を締結するための３個のビス座３３と、バイブレーター３０を支持する左右一対のリブ状の突起３４が一体に形成され、突起３４の近傍にリード通口３５（図４参照）が形成してある。筒壁３１の後端（装着凹部１６側の端部）には３個の脚片３６と、３個の弾性係合爪３７が形成してある。前ケース１ａの装着凹部１６の底壁には、脚片３６と係合してヘッド支持体２８の回動を規制する椀形の回止め体３９と、電極ホルダー２の位置決め片３８と係合する位置決め溝４０が形成してある。３個の脚片３６と回止め体３９は、周方向へ不均等な間隔で配置するので、ヘッド支持体２８を前ケース１ａに常に適正に組むことができる。
【００２５】
肌面に電流を供給する肌刺激ヘッド３はチタン板材を素材とする丸キャップ状のプレス成形品からなり、開口周縁の外にフランジ状の装着壁４３が張出し形成してある。図５に示すように、装着壁４３および周囲壁に装着したＯリング（弾性体）４４を電極ホルダー２の段部２４とヘッド支持体２８の筒壁３１の前端で挟持することにより、肌刺激ヘッド３を電極ホルダー２に固定している。
【００２６】
電装品ホルダー２９は、前部に丸皿状のヒーター保持部４６を有し、同ヒーター保持部４６の後側にバイブレーター３０用のモーター保持部４７と３個のねじボス４８が一体に形成してある。バイブレーター３０は、ケース５１に収容してある細長いモーター４９と、その出力軸に固定した偏心錘５０とで構成してある。図４に示すように、バイブレーター３０は、その中心軸が肌刺激ヘッド３の刺激面３ａと平行になる状態で、モーター保持部４７に装着されて突起３４で受止められている。そのため、バイブレーター３０の振動の主な方向は、刺激面３ａと直交する向きとなり、美容処理を行う場合には、刺激面３ａで肌面を叩くようにして振動刺激を付与できる。図４において符号５２はモーターリードである。なお、この実施例の美容器具では、電気刺激と振動刺激のみを肌刺激ヘッド３から肌面に与えるので、ヒーター保持部４６に面状ヒーターは組込まれていないが、面状ヒーターをヒーター保持部４６に配置した場合には、温熱刺激を肌面に付与することができる。
【００２７】
肌刺激ヘッド３にパルス電流を供給するために、電装品ホルダー２９のひとつのねじボス４８に舌片状の接続端子５３と導通端子５４を組付けている。導通端子５４は、圧縮コイルばね状に形成されて接続端子５３に密着するコイル部５５と、コイル部５５から肌刺激ヘッド３へ向かって連出される接触片５６を一体に備えており、接続端子５３に肌電極リード５７が接続してある。
【００２８】
ヘッド支持体２８と電装品ホルダー２９は、以下の要領で組む。まず、電装品ホルダー２９のモーター保持部４７にバイブレーター３０を組み、導通端子５４をねじボス４８に仮組みして、ヘッド支持体２８のビス座３３に挿通したビス６０をねじボス４８にねじ込み、電装品ホルダー２９をヘッド支持体２８と一体化する。このとき、接続端子５３をねじボス４８と共締めして、コイル部５５の端部を接続端子５３に密着させておく。また、モーターリード５２および肌電極リード５７は、リード通口３５に通して区画壁３２より後側に導出され、リード開口１７から本体ケース１内へ導入されて制御基板１１に接続してある。
【００２９】
電極ホルダー２の連結筒壁２１のシール溝２３にＯリング６１を装着し、Ｏリング４４が周囲壁に装着された肌刺激ヘッド３を電極ホルダー２の外開口７に内側から嵌込んで、Ｏリング４４を段部２４に密着させる。次に、電装品ホルダー２９が固定されたヘッド支持体２８の脚片３６を、前ケース１ａの回止め体３９に係合し、さらに図８に示すように弾性係合爪３７をリード開口１７に係合させて、ヘッド支持体２８を前ケース１ａに仮組みする。この状態で、肌刺激ヘッド３が組まれた電極ホルダー２の連結筒壁２１を、位置決め片３８が位置決め溝４０と係合する状態で前ケース１ａの装着凹部１６に嵌込み、前ケース１ａの内面側から挿通した３個のビス（締結具）６２をねじボス２５にねじ込んで、電極ホルダー２を前ケース１ａと一体化する。このように、電極ホルダー２を前ケース１ａに固定することにより、Ｏリング４４と肌刺激ヘッド３の装着壁４３が電極ホルダー２の段部２４とヘッド支持体２８の筒壁３１の間に挟持されたた状態で、肌刺激ヘッド３が電極ホルダー２に固定される。つまり、肌刺激ヘッド３が本体ケース１に固定される。最後に、制御基板１１が組まれた後ケース１ｂをビス１８で締結して、前後ケース１ａ・１ｂを一体化する。
【００３０】
図８に示すように、ヘッド支持体２８を前ケース１ａに仮組みした状態では、回止め体３９が脚片３６の周面に沿って係合し、さらに弾性係合爪３７がリード開口１７に係合している。回止め体３９と脚片３６の係合面６５は、部分円弧状の一対の円弧係合面６６と、両円弧係合面６６の間に設けた矩形係合面６７とで構成してある。このように、回止め体３９と脚片３６を椀状の係合面６５を介して係合させることにより、ヘッド支持体２８を前ケース１ａに対して正しく位置決めでき、しかもヘッド支持体２８が回動しようとするのを確実に規制できる。脚片３６の連結筒壁２１との対向面には回止め凹部６８が半円状に形成してあり、電極ホルダー２を締結するビス６２の周面が回止め凹部６８と係合することにより、回止め体３９と協同してヘッド支持体２８の回動を規制している。また、リード開口１７に係合した弾性係合爪３７の腕部が、最寄りの回止め体３９の外周面で受止められて、ヘッド支持体２８の回動を規制している。なお、ビス６２の周面と回止め凹部６８が係合する場合には、回止め体３９と協同してヘッド支持体２８の回動を規制することが好ましいが、ビス６２の周面と回止め凹部６８の係合のみによって、ヘッド支持体２８の回動を規制してもよい。
【００３１】
美容器具を使用する場合には、図３に示すように綿マット（吸液体）７１で肌刺激ヘッド３の外面を覆い、リング状の保持キャップ（キャップ体）７２を電極ホルダー２のキャップ装着部２０に圧嵌して綿マット７１を固定する。綿マット７１に化粧水を含浸させ、第１ボタン部５をオン操作することにより、バイブレーター３０が起動し、パルス電流を生成する電流調整回路が作動してパルス電流を肌刺激ヘッド３に供給する。この状態で肌刺激ヘッド３に供給されるパルス電流の極性を第２ボタン部６で切換えることにより、イオン導出処理とイオン導入処理、および第３の美容処理を行うことができる。
【００３２】
イオン導出処理においては、グリップ電極１５を片手で握った状態で、化粧水が含浸された綿マット７１を顔肌に沿ってゆっくりと滑らせることにより、顔肌のしわ、ひだ、毛穴などに入り込んでいる微細な汚れを落とすことができる。このとき肌面には、プラス極性のパルス電流による電流刺激と、バイブレーター３０による振動刺激が付与される。肌面に作用するパルス電流刺激が弱い場合には、第１ボタン部５を再度オン操作することにより、電流刺激を強くすることができる。肌刺激ヘッド３にパルス電流が供給されてから、一定時間（約３分）が経過するとパルス電流の供給が停止され、同時にバイブレーター３０が停止されてＬＥＤ１４が消灯される。上記のようにイオン導出処理においては、美容器具をイオン導出処理モードにして、肌刺激ヘッド３側をプラス極性とし、グリップ電極１５側をマイナス極性にした状態で美容処理を行う。
【００３３】
イオン導入処理においては、イオン導出処理と同様にグリップ電極１５を片手で握った状態で、化粧水が含浸された綿マット７１を顔肌に沿ってゆっくりと滑らせることにより、化粧水を肌面に浸透させて保湿効果を高めることができる。このとき肌面には、マイナス極性のパルス電流による電流刺激と、バイブレーター３０による振動刺激が付与される。上記のようにイオン導入処理においては、美容器具をイオン導入処理モードにして、肌刺激ヘッド３側をマイナス極性とし、グリップ電極１５側をプラス極性にした状態で美容処理を行う。なお、イオン導入処理においては、綿マット７１を使用せずに、化粧水などの美容用液を顔肌に塗付した状態で、肌刺激ヘッド３の刺激面３ａを肌面に沿ってゆっくりと滑らせて、美容処理を行ってもよい。
【００３４】
第３の美容処理においては、化粧水が含侵された綿マット７１は使用せずに、顔肌をシートマスクで覆った状態、あるいは乳液を顔肌に塗付した状態で、肌刺激ヘッド３にプラス極性のパルス電流とマイナス極性のパルス電流を交互に供給しながら美容処理を行って、肌面を整える。肌刺激ヘッド３にパルス電流が供給されてから、一定時間（約３分）が経過するとパルス電流の供給が停止され、同時にバイブレーター３０が停止されてＬＥＤ１４が消灯される。上記のように第３の美容処理においては、美容器具を第３の美容処理モードにして、肌刺激ヘッド３にプラス極性のパルス電流とマイナス極性のパルス電流を交互に供給しながら美容処理を行う。
【００３５】
以上のように、実施例１の美容器具においては、電極ホルダー２と、同ホルダー２と共に本体ケース１に締結固定されるヘッド支持体２８で、Ｏリング４４と肌刺激ヘッド３の装着壁４３を挟持して肌刺激ヘッド３を電極ホルダー２に固定した。こうした美容器具によれば、伝熱体をヘッドケースの外筒壁部に外嵌装着したうえで、保持リングを使用して伝熱体を固定する必要があった従来の美容器具に比べて、より簡単な構造で肌刺激ヘッド３を電極ホルダー２に固定できる。具体的には、保持リングを省略して、その組立ての手間を省くことができ、さらに、電装品ホルダー２９が一体化してあるヘッド支持体２８を装着凹部１６に仮組みした状態において、弾性係合爪３７をリード開口１７に係合させて、ヘッド支持体２８を保持できるので、電極ホルダー２および肌刺激ヘッド３の組付けを容易化して組立ての手間を省くことができる。また、肌刺激ヘッド３の固定構造を簡素化した分だけ、肌刺激ヘッド３を備えたヘッド部の全体構造を簡素化し、組立てに要する工数を削減して、肌刺激ヘッド３を備えた美容器具の製造に要するコストを削減できる。さらに、肌刺激ヘッド３を取外す場合にはビス６２を取外し、電極ホルダー２を装着凹部１６から分離するだけで、簡単に電極ホルダー２から分離することができる。なお、本体ケース１とヘッド支持体２８は一体であってもよく、その場合のヘッド支持体２８は本体ケース１の一部分であるということができる。
【００３６】
電極ホルダー２とヘッド支持体２８を本体ケース１に組付けた状態では、Ｏリング４４が弾性変形した状態で段部２４および装着壁４３に密着するので、肌刺激ヘッド３の周囲壁に沿って浸み込んだ化粧水をＯリング４４でシールして、化粧水が電極ホルダー２の内部に浸入するのを阻止できる。また、Ｏリング４４の弾性変形力で装着壁４３を筒壁３１の端面に押付けるので、肌刺激ヘッド３ががたつくのを防止できるうえ、肌刺激ヘッド３、電極ホルダー２、およびヘッド支持体２８の仕上がり寸法にばらつきがあったとしても、Ｏリング４４でばらつきを吸収できる。脚片３６を電極ホルダー２の内面に設けたねじボス２５と装着凹部１６の底壁で挟持して、ヘッド支持体２８を電極ホルダー２および本体ケース１に対して強固に固定して、ヘッド支持体２８および肌刺激ヘッド３の締結強度を向上できる。
【００３７】
電極ホルダー２が本体ケース１にビス６２で締結固定してあるので、ビス６２を取外すだけで電極ホルダー２および肌刺激ヘッド３を分離して、Ｏリング４４の交換や、電極ホルダー２の内部の清掃などを簡便に行うことができる。また、ヘッド支持体２８を本体ケース１とは異なる独立部品として構成するので、美容器具の仕様を種々に変更してシリーズ商品化する場合に、各仕様に応じたヘッド支持体２８を複数種用意しておくだけで、美容器具の機能の追加や変更を簡便に行える。また、ビス６２で引寄せ固定した電極ホルダー２と本体ケース１の挟持力で、Ｏリング４４を弾性変形させるので、Ｏリング４４が過剰に押潰されるのを防止できる。
【００３８】
（実施例２）  図９は、本発明に係る美容器具の実施例２を示しており、とくに締結具６２の構造を変更する点が実施例１と異なる。そこでは、連結筒壁２１に設けた係合穴７６に係脱する係合ピン７７と、係合ピン７７に打込まれる拡張ピン７８で締結具６２をプッシュリベット状に構成した。係合ピン７７は、ピン頭部に連続する丸筒状の筒軸部７９と、筒軸部７９に連続する一対の係合爪８０を一体に備えており、拡張ピン７８を係合ピン７７から分離した自由状態時には、係合爪８０は自己の弾性で互いに接近して、筒軸部７９の円形領域内に位置している。電極ホルダー２を固定する場合には、連結筒壁２１を装着凹部１６に係合した状態で、係合ピン７７を係合穴７６内へ差し込んだのち、拡張ピン７８を係合ピン７７のピン頭部の側から筒軸部７９の筒穴に打込む。拡張ピン７８を筒軸部７９に完全に打込んだ状態では、一対の係合爪８０が互いに離れる向きへ弾性変形して係合穴７６と係合するので、電極ホルダー２を前ケース１ａに固定できる。図示していないが、係合ピン７７の頭部には、拡張ピン７８を取外すための切欠が形成してある。電極ホルダー２を装着凹部１６から取外す場合には、係合ピン７７の頭部に設けた切欠を介して拡張ピン７８の頭部を抉って、拡張ピン７８を係合ピン７７から分離し、係合爪８０を自己の弾性で互いに接近させた状態で係合ピン７７を抜外す。他は実施例１と同じであるので、同じ部材に同じ符号を付してその説明を省略する。以下の実施例においても同じとする。
【００３９】
（実施例３）  図１０は、本発明に係る美容器具の実施例３を示しており、とくに締結具６２の構造を変更する点が実施例１、２と異なる。そこでは、締結具６２を、バヨネットピン８２と、連結筒壁２１に設けた３個の係合爪８３と、装着凹部１６に設けた係合段部８４と、係合爪８３に隣接するスロット８５で構成した。バヨネットピン８２は、係合爪８３の弾性変形を規制するロック軸８６と、一対のバヨネット爪８７を一体に備えている。電極ホルダー２を固定する場合には、係合爪８３をスロット８５側へ弾性変形させながら、連結筒壁２１を装着凹部１６に係合して、係合爪８３を係合段部８４に係合させる。次に、ロック軸８６およびバヨネット爪８７を、装着凹部１６の底壁に設けたバヨネット穴８８に差込んだのち、時計回転方向へ９０度回転操作することにより、バヨネット爪８７がバヨネット穴８８の周縁壁で受止められて、電極ホルダー２を前ケース１ａに固定できる。この状態ではロック軸８６がスロット８５内に入込んで係合爪８３に接当し、さらに連結筒壁２１で受止められているので、係合爪８３がスロット８５側へ弾性変形することはない。なお、Ｏリング６１は座部２２と、同部２２に対向する状態で前ケース１ａに形成したシール溝２３の間に配置した。バヨネットピン８２は、その頭部を反時計回転方向へ９０度回転操作することによりバヨネット穴８８から取外すことができ、この後、電極ホルダー２を少し強めに引っ張れば、係合爪８３が弾性変形しながら係合段部８４から分離するので、電極ホルダー２を装着凹部１６から取外すことができる。
【００４０】
（実施例４）  図１１は、本発明に係る美容器具の実施例４を示しており、とくに締結具６２の構造を変更する点が実施例１、２、３と異なる。そこでは、実施例３と同様に、連結筒壁２１に３個の係合爪８３を設け、装着凹部１６に係合段部８４とスロット８５を設けた。実施例３と異なるのは、ロック軸８６に相当するロックピン９０を後ケース１ｂの内面に設けておき、前後ケース１ａ・１ｂをビス１８で締結した状態において、ロックピン９０がスロット８５内に入込んで係合爪８３に接当し、さらに連結筒壁２１で受止められるようにした。Ｏリング６１によるシール構造は実施例３と同じにした。この実施例においては、ビス１８を取り外して前後ケース１ａ・１ｂを分離した状態において、電極ホルダー２を少し強めに引っ張ることにより、係合爪８３が弾性変形しながら係合段部８４から分離するので、電極ホルダー２を装着凹部１６から取外すことができる。
【００４１】
（実施例５）  図１２は、本発明に係る美容器具の実施例５を示す。そこでは、ヘッド支持体２８を前ケース１ａと一体に形成して、美容器具の部品点数を減らすようにした。詳しくは、装着凹部１６の底壁に連続してヘッド支持体２８の筒壁３１を形成し、区画壁３２の前面側に電装品ホルダー２９をビス６０で締結固定した。ヘッド支持体２８を前ケース１ａと一体に形成することにより、ヘッド支持体２８を独立部品として形成した場合に比べて、部品点数を減らすことができるうえ、脚片３６や弾性係合爪３７を省略して、ヘッド部の内部構造を簡素化できる。
【００４２】
（実施例６）  図１３は、本発明に係る美容器具の実施例６を示す。そこでは、装着凹部１６の底壁の内面に電装品支持体９１を配置し、その前面側に電装品ホルダー２９を固定した。この実施例における電装品支持体９１は、先の実施例におけるヘッド支持体２８に相当する。電装品ホルダー２９は、ヒーター保持部４６を省略して構造を簡素化した。また電極ホルダー２は、前後長さを小さくしてリング状に形成し、その周面に設けた連結面９２（連結筒壁２１に相当）を装着凹部１６に嵌込み、電装品支持体９１の内面側から電極ホルダー２にねじ込んだビス６２で、電極ホルダー２と電装品支持体９１を前ケース１ａに共締め固定した。電装品支持体９１は断面ハット形に形成してあり、その前面に突起３４およびねじボス９３と、接続端子５３用の係合ピン９４が形成してある。係合ピン９４と正対する電装品ホルダー２９の板面には、導通端子５４のコイル部５５を受止めるピン９５が形成してあり、電装品ホルダー２９の側から先のねじボス９３にビス６０をねじ込むことにより、電装品ホルダー２９を電装品支持体９１に固定している。肌刺激ヘッド３の装着壁４３とＯリング４４は、装着凹部１６の底壁と電極ホルダー２の段部２４で挟持固定した。
【００４３】
図１４は実施例１に係る美容器具の外観６面図、および斜視図を示している。図１５は実施例１に係る美容器具の意匠の要部の外観６面図、および斜視図を示しており、意匠の要部を実線で表現し、要部以外の部分は破線で表現している。美容器具を実施する場合には、図１４および図１５に示す形態で実施するのが好ましい。
【００４４】
上記の実施例では、接続端子５３とコイルばね状の導通端子５４を介して肌刺激ヘッド３にパルス電流を供給するようにしたが、その必要はなく、肌電極リード５７を肌刺激ヘッド３に半田付けしてパルス電流を供給してもよい。弾性体はシール機能を備えたＯリング４４であることが好ましいが、少なくとも弾性変形力で装着壁４３を筒壁３１の端部に押付ける弾性体であれば足りる。その場合の弾性体は多角形であってもよく、無端環状である必要もなく、さらに、装着壁４３と筒壁３１の端部の間に弾性体が配置してあってもよい。
【符号の説明】
【００４５】
１  本体ケース
２  電極ホルダー
３  肌電極（肌刺激ヘッド）
１５  グリップ電極
１６  装着凹部
１７  リード開口
２１  連結筒壁
２４  段部
２８  ヘッド支持体
２９  電装品ホルダー
３０  バイブレーター
３６  脚片
３７  弾性係合爪
４３  装着壁
４４  弾性体（Ｏリング）
【図１】
2019141651.tif 000003
【図２】
2019141651.tif 000004
【図３】
2019141651.tif 000005
【図４】
2019141651.tif 000006
【図５】
2019141651.tif 000007
【図６】
2019141651.tif 000008
【図７】
2019141651.tif 000009
【図８】
2019141651.tif 000010
【図９】
2019141651.tif 000011
【図１０】
2019141651.tif 000012
【図１１】
2019141651.tif 000013
【図１２】
2019141651.tif 000014
【図１３】
2019141651.tif 000015
【図１４】
2019141651.tif 000016
【図１５】
2019141651.tif 000017